(57)【特許請求の範囲】
【請求項１】
陸上に配置される複数の水槽と、
前記複数の水槽間の空間の少なくとも一部を覆い、その空間を形成する少なくとも一つの水槽と当接している天板と、
前記天板に覆われた空間に設けられ、前記空間を形成する少なくとも１つの水槽に当接された仕切壁とを備えた、陸上養殖システム。
【請求項２】
前記仕切壁が取り外し自在である、請求項１記載の陸上養殖システム。
【請求項３】
前記仕切壁が２つの水槽間に連結されている、請求項１記載の陸上養殖システム。
【請求項４】
前記水槽の上面が開口部であり、
前記水槽の開口部を閉じる上蓋を備えた、請求項1記載の陸上養殖システム。
【請求項５】
前記上蓋と天板とが同じ高さにある、請求項４記載の陸上養殖システム。
【請求項６】
前記上蓋と天板とが一体である、請求項４記載の陸上養殖システム。
【請求項７】
前記複数の上蓋と天板とが一体である、請求項４記載の陸上養殖システム。
【請求項８】
前記上蓋が開閉自在である、請求項４記載の陸上養殖システム。
【請求項９】
前記上蓋を開いたときに水槽内への作業を可能とするクレーンをさらに備えた、請求項８記載の陸上養殖システム。
【請求項１０】
前記水槽の側面が開口部であり、
前記水槽の開口部を閉じる横蓋を備えた、請求項１記載の陸上システム。
【請求項１１】
閉鎖された水槽内の空気の入れ替えをするための開閉可能な窓を備えた、請求項１記載の陸上養殖システム。
【請求項１２】
前記仕切壁または天板が開閉可能な外窓を備えた、請求項１記載の陸上養殖システム。
【発明の詳細な説明】
【技術分野】
【０００１】
本発明は陸上養殖システムおよび陸上養殖装置に関する。
【背景技術】
【０００２】
従来、陸上養殖用の水槽は、ビニールハウス内などに上端を開口させた状態で設置されている。これは、養殖には温度等の環境管理が必要だからである。また、陸上養殖用の水槽は大きく、複数個を管理する場合、非常に大きな建物が必要となるためであり、ビニールハウスは比較的大きな面積を低価格でカバーできるためである。
一方、特許文献１のようにあわび養殖用の蓋を備えた水槽が知られている。
【０００３】
【特許文献１】特開２００４−３２９０４２号公報
【発明の開示】
【発明が解決しようとする課題】
【０００４】
しかし、ビニールハウスを用いても温度管理するには、ビニールハウス内全体の温度管理を行わなければならず冷暖房のコストが問題となっている。また、ビニールハウスは簡易である分、内部の区画等が困難であり、その作業性が問題となっている。また、蓋をした状態での養殖を行う場合、生物への酸素の供給を兼ねた空気の循環が必要であり、蓋を開けて行うと環境を大幅に変えてしまう恐れがある。
【０００５】
本発明は、上記問題点を鑑みて発明されたものであり、低コストでかつ、作業性の良い陸上養殖システムおよび陸上養殖装置を提供することを目的としている。
【課題を解決するための手段】
【０００６】
本発明の陸上養殖システムは、陸上に配置される複数の水槽と、前記複数の水槽間の空間の少なくとも一部を覆い、その空間を形成する少なくとも一つの水槽と当接している天板と、前記天板に覆われた空間に設けられ、前記空間を形成する少なくとも１つの水槽と当接した仕切壁とを備えたことを特徴としている。また、この仕切壁は取り外し自在であってもよい。さらに、仕切壁は前記水槽と水槽との間をつなぐように設けられていてもよい。
【０００７】
このような陸上養殖システムであって、前記水槽の上面が開口部であり、前記水槽の開口部を閉じる上蓋を備えたものが好ましい。このように上面に開口部を有する水槽を備えた陸上養殖システムであって、上蓋と天板とが同じ高さにあるものが好ましい。また、上蓋と天板とが一体であっても、複数の上蓋と天板とが一体であってもよい。さらに、上蓋が開閉自在であるものが好ましい。そして、上蓋を開いたときに水槽内への作業を可能とするクレーンをさらに備えていてもよい。
【０００８】
本発明の陸上養殖システムであって、前記水槽の側面が開口部であり、前記水槽の開口部を閉じる横蓋を備えていてもよい。
本発明の陸上養殖システムであって、閉鎖された水槽内の空気の入れ替えをするための開閉可能な窓を備えているものが好ましい。
本発明の陸上養殖システムの仕切壁または天板が開閉可能な外窓を備えているものが好ましい。
【発明の効果】
【００１１】
本発明の陸上養殖システムは、陸上に配置される複数の水槽と、前記複数の水槽間の空間の少なくとも一部を覆い、その空間を形成する少なくとも一つの水槽と当接している天板と、前記天板に覆われた空間に設けられ、前記空間を形成する少なくとも１つの水槽と当接している仕切壁とを備えているため、天板、仕切壁および水槽との間に空間ができ、例えば、風等を気にすることなく、その空間で種々の作業を行うことができる。特に外気と遮断されるように空間を形成した場合、温度環境を調整することができ、好ましい環境で種々の作業を行うことができる。特に、水槽の余熱等のエネルギーによりこの空間内の温度調整を行う場合、全システムのエネルギー管理が行いやすく、消費エネルギーを最小限に抑えることができる。
前記仕切壁が取り外し自在である場合、必要に応じて空間を作ることができる。また、仕切壁が２つの水槽と連結している場合、風などによっても外れるおそれが小さい。
【００１２】
このような陸上養殖システムであって、前記水槽の上面が開口部であり、前記水槽の開口部を閉じる上蓋を備えた場合、水槽単位ごとの水槽内の作業が行いやすく、別個に水槽を管理することができる。また、上蓋と天板とが実質的に同じ高さにある場合、空間を最大限に利用することができる。さらに、上蓋と天板とが一体である場合、または、複数の上蓋と天板とが一体である場合、陸上養殖システムの組み立てが容易である。さらに、上蓋が開閉自在である場合、簡単に水槽を開放することができる。そして、上蓋を開いたときに水槽内への作業を可能とするクレーンをさらに備えている場合、作業効率を一層高めることができる。
【００１３】
本発明の陸上養殖システムであって、前記水槽の側面が開口部であり、前記水槽の開口部を閉じる横蓋を備えている場合、水槽単位ごとの作業が行いやすい。
本発明の陸上養殖システムであって、閉鎖された水槽内の空気の入れ替えをするための開閉可能な窓を備えている場合、蓋を開けることなく水槽内の空気を換気することができる。このような窓は、水槽、上蓋、横蓋に設けることができる。
さらに本発明の陸上養殖システムであって、前記仕切壁または天板が開閉可能な外窓を備えている場合、水槽間の空間の空気を換気することができる。
【発明を実施するための最良の形態】
【００１５】
図１ａ、図１ｂに示す陸上養殖装置１０は、円型の水槽１１と、その水槽の開口部を閉じる蓋１２と、その蓋を上下に移動させる開閉手段とからなる。
【００１６】
水槽１１は、一般に生物の飼育に用いられているものであり、給水口、排水口、ポンプ、温度調整器具、換気扇、空調機、餌自動配給装置などが取付けられている。その大きさは、直径５〜１００ｍ、好ましく１０〜２０ｍ、水深１〜５ｍ、好ましくは１．５〜４ｍであり、繊維強化プラスチック（ＦＲＰ）、ポリスチレン、ポリウレタンなどの発泡樹脂成形体、金属板などで造られている。
【００１７】
蓋１２は、板状の蓋本体１６と、その蓋本体の下面中央から下方に延びる円筒状の側壁部１７とからなる。蓋本体１６は、正方形状を呈しており、各角部近辺には蓋１２を支持する柱２０が固定されている。また側壁部１７には、開閉自在の窓１９が設けられている。これにより蓋１２によって閉鎖された水槽１１内の空気を循環することができる。また、この窓１９にはごみ、虫等の侵入を防ぐフィルターが設けられている。さらに蓋本体１６に想像線で示すような開閉可能な天窓を設けてもよい。
【００１８】
開閉手段は、蓋１２を支持し、外周に雄ネジが形成された４本の支柱２１と、その支柱２１を挿入し、内面に雌ネジが形成された４本の押上パイプ２２と、その押上パイプ２２を回転させる駆動装置（図示せず）とからなる。そして、柱２０は支柱２１と押上パイプ２２とから構成される。そのため、押上パイプ２２を駆動装置により回転させることにより、その回転に対応して柱２１が上下に移動する。このとき４本の押上パイプ２２の回転を同調させることにより、蓋１２を上下させることによる開閉をスムーズにすることができる。
【００１９】
このように構成されているため、蓋１２で水槽１１を閉鎖した状態で生物の飼育ができる。特に、空気の換気が必要なときは蓋１２を上げずに窓１９を開くだけでよいため、必要以上に水槽１１内の温度が下がったりすることがない。そして、成育した生物を採取するときに蓋１２を上げる。そのため、水槽１１の温度維持に必要なエネルギーを最小限に抑えることができる。
【００２０】
本実施形態では、上下開閉手段として、ネジ機構を開示したが、油圧機構で柱２１を押上パイプ２２に沿って上下させても、ワイヤ等の他の機構を用いてもよい。また、１〜３本の柱に昇降機構を設け、他のはスライドさせてもよい。さらに、柱は３本でも、５本以上でもよい。
【００２１】
図２ａ、ｂの陸上養殖装置２５は、蓋１２の蓋本体１６が縁部下面から下方に延びるフランジ２６を有している。そして、柱２０の外側に、そのフランジ２６から落ちる雨水等を受ける雨桶２７を有している。また、養殖装置の蓋１２の下に走行クレーン２８を導くレール２９を２本有している。雨桶２７、レール２９は、それぞれ脚２７ａ、２９ａとによって支持されている。また、柱２０と連結していてもよい。しかし、他の手段でもってレールおよび雨桶を支持してもよい。さらに蓋１２の上面は、雨水を天桶に誘導するために、中心に向かって上に若干傾斜していてもよい。他の構成は、図１の陸上養殖装置１０と実質的に同じである。
【００２２】
走行クレーン２８は、両端をレール２９で保持されるクレーンレール３１と、そのクレーンレール３１上を自在に移動できるように取付けられたクレーンドラム３２と、そのクレーンドラムに巻かれたワイヤ３３と、そのワイヤの先端に取付けられた籠または網３４とからなる。
この走行クレーン２８に秤機能を設けて、籠または網３４で掬われた生物等の重量を測れるようにしてもよい。
【００２３】
このように構成されているため、水槽１１内の生物を採取するとき、あるいは、水槽内を工事するときなどにおいて、蓋１２を上げて走行クレーン２８を走らせ、作業の効率化を図れる。一方、蓋１２を下げるときは走行クレーン２８を水槽１１から離した位置に移動させ、図１の養殖装置と同様に生物の飼育を行うことができる。
また、走行クレーン２８を取り付け可能のクレーンとしてもよい。この場合、レール２９を短くすることができる。また、レールを用いず腕が伸び縮みするクレーンを水槽またはその周囲に取り付けても良い。
【００２４】
また、図３ａ、ｂは複数の養殖装置２５ａを並べたものであり、雨桶２７ｂを隣の養殖装置２５ａのフランジ２６と共用させたものである。これにより効率良く養殖装置２０を並べることができる。他の構成は図２の養殖装置２５と実質的に同じである。
【００２５】
図４の養殖装置２５ｂは、蓋２３が側壁部を有さないものであり、水槽１１ａが上部に窓１９を有したものである。この場合も図１の養殖装置１０と同様の効果を得ることができる。また、この場合、蓋２３は上下ではなく左右にスライドすることによって開閉するようにしてもよい。
【００２６】
図５の養殖装置２５ｃは、水槽１１ｂが正方形型のものである。また、蓋１２の開閉手段は、水槽の近くに設けられたクレーン２８ａである。このクレーン２８ａを用いて蓋１２を上下させる。柱２０ａは、蓋１２を支持するものであり、蓋１２のずれ等を防ぐためにネジなどによる固定手段２０ｂが設けられている。このものも水槽１１ｂの上部に窓１９を備えている。
本実施形態では正方形型の水槽を開示したが、多角形型であっても、楕円形型であってもよい。
【００２７】
次に養殖装置１０を用いた陸上養殖システム４０の説明をする。
図６、図７に示す陸上養殖システム４０は、養殖装置１０を８基並べたものである。また、各養殖装置１０の間には上下に開閉する仕切壁４１ａと左右に開閉する仕切壁４１ｂとが設けられている。
図７に示すように養殖装置１０は、水槽１１の外面に上下に開閉する仕切壁４１ａを保持する縦溝４２と、左右に開閉する仕切壁４１ｂをスライドさせる収容部４３とを備えている。また、想像線で示すように蓋１２の蓋本体１６の下面の仕切壁４１ａの対応する部位に溝４２ｂが形成されていてもよい。
【００２８】
上下に開閉する仕切壁４１ａは、３枚の板状体からなり、蓋１２を上げた状態で溝４２内に挿入することで閉じることができる。そして、蓋１２を下げた状態で隣接する養殖装置１０間を閉じることができる。また、蓋１２を下げた状態で仕切壁４１ａが伸び縮みできるようにしたり、外せるようにしてもよい。
左右に開閉する仕切壁４１ｂは、２枚の板状体からなり、それぞれが隣接する水槽の収容部４３に収納されている。そして、それらをスライドさせて隣接する水槽１１間の空間を開閉する。
また、仕切壁４１ａ、ｂに開閉可能な外窓を設けてもよい。これにより水槽間の空間の換気を行うことができる。
【００２９】
このように陸上養殖システム４０は構成されているため、蓋１２、仕切壁４１ａ、ｂを閉じた状態では、隣接する養殖装置間に蓋１２を屋根とした密閉された空間ができる。この空間は、外気から遮断されているため、従来近辺に建てていた小屋等で行っていた作業を、この空間を使用して行うことができる。また蓋が開けられた状態でも仕切壁４１ａ、ｂを開閉することができるため、物品の空間内への輸送が簡単である。さらに、この空間を閉じた状態でも、養殖装置の窓１９を開閉することにより空気の入れ換えができる。特に、図７に示すように空間内に面した窓１９を設けることで給餌、生物観察等もこの空間から行うことができる。さらに、水槽の余熱等を用いることにより空間内の温度調整を行うことが可能となり、システム全体で消費するエネルギーを最小限にすることができる。さらに、仕切壁に換気扇または空調機を設けても良い。これにより空間内の温度等を調整することができる。また、仕切壁を断熱材によって構成することにより、その空間の温度調整が一層容易になる。
【００３０】
また、水槽１１の一つを生物養殖用に用いずに作業部屋としてもよい。
さらに、この陸上養殖システムの陸上養殖装置１０に図２のレール２９および走行クレーン２８を設けることにより、蓋を開けているとき、走行クレーン２８を水槽の上に誘導することができ、外部との連携した作業が一層効率よくできる。また、図５のように周辺にクレーン２８ａを設けて蓋１２を上下開閉できるようにしてもよい。
また、この実施形態の空間は、仕切壁４１ａ、ｂによって完全に閉じられるように構成されているが、この空間を利用して作業を好ましく行うことができれば（例えば、風をよけることができる等）、いずれかを外してもよい。
【００３１】
図６、図７の陸上養殖システム４０は、それぞれの水槽に対応するように蓋１２が設けられたものである。
図８ａ、ｂに示す大蓋４５は、複数の陸上養殖装置の蓋１２を一体化したものである。また、仕切壁４１ａの板状体の一部（隔壁４６）を大蓋４５と一体化させている。このように構成されているため、複数の水槽を一度に開放することができる。また、隔壁４６が大蓋４５のリブ効果を発揮する。
この大蓋４５は、１つで陸上養殖システム内の水槽の全てを覆うように構成されていてもよく、また、複数個の大蓋４５で全ての水槽を覆うようにしてもよい。
【００３２】
図９に示す陸上養殖システム５０は、養殖装置５１を４基並べたものである。また、陸上養殖システム５０は、この養殖装置５１の間の空間の側面を開閉する仕切壁５２と、その空間の上面を開閉する天板５３が並べられている。仕切壁５２は、図６の仕切壁４１ａと実質的に同じものである。
【００３３】
養殖装置５１は、正方形型の水槽５４と、その水槽の上面開口部を閉じる蓋５５とからなる。また、水槽５４の下部側面には、仕切壁５２を保持する溝状の縦溝５６が形成されており、水槽５４の上部側面には天板５３を支持するフランジ部５７が形成されている。フランジ部５７は、図９ａのように複数個設けられていてもよく、底面と平行に長く設けられても良い。
【００３４】
天板５３は、養殖装置５１の間の空間の上面を覆うものであり、断熱材により形成されている。また、本実施形態では、左右の養殖装置５１の間に設けられた天板５３と、上下の養殖装置５１の間に設けられた天板５３とが重なるように設けられている。寸法を合わして隙間がないように並べても良い。
このように構成されているため、陸上養殖システム５０も、養殖装置５１との間の空間を閉じることができ、有効に利用することができる。
また、このように天板５３を水槽の側面に支持させることにより、天板と蓋とを別々に開閉することができる。さらに、この実施形態では水槽の開口部を上面に設けているが、側面に設けて水槽の上面を固定してもよい。
【００３５】
図１０の陸上養殖システム６０は、養殖装置６１を４基並べたものである。この陸上養殖システム６０は、この養殖装置６１の間の空間の上面を開閉する天板５３が水槽６２の蓋６３の上に設けられている。他の構成は図９の陸上養殖システム５０と実質的に同じであり、仕切壁５２を備えている。
養殖装置６１は、円形型の水槽６２と、その上面開口部を閉じる蓋６３とからなる。このように陸上養殖システム６０も、養殖装置間の空間を閉じることができるため、その空間を様々な用途に利用ができる。
【００３６】
図１１の陸上養殖システム７０は、水槽７１の開口部７１ａが側面に形成されたものであり、その開口部に横蓋７２が設けられている。また、天板７２は、水槽および水槽間の空間全体を覆うものである。この天板７２は、水槽７１と固定されていてもよく、また、取り外し可能としてもよい。他の構成は図９の陸上養殖システム５０と実質的に同じであり、仕切壁５２を備えている。
【図面の簡単な説明】
【００３７】
【図１】図１ａは本発明の陸上養殖システムに用いられる陸上養殖装置の一実施形態の蓋を開いた状態を示す斜視図であり、図１ｂはその蓋を閉じた状態を示す側面図である。
【図２】図２ａ、ｂは本発明の陸上養殖システムに用いられる陸上養殖装置の他の実施形態を示す側面図、平面図である。
【図３】図３ａ、ｂ本発明の陸上養殖システムに用いられる陸上養殖装置のさらに他の実施形態を示す側面図、平面図である。
【図４】図４ａは本発明の陸上養殖システムに用いられる陸上養殖装置のさらに他の実施形態の蓋を閉じた状態を示す斜視図であり、図４ｂはその蓋を開いた状態を示す斜視図である。
【図５】図５ａ、ｂは本発明の陸上養殖システムに用いられる陸上養殖装置のさらに他の実施形態を示す側面図、平面図である。
【図６】本発明の陸上養殖システムの一実施形態を示す斜視図である。
【図７】図６の陸上養殖システムの平面図である。
【図８】図８ａ、ｂは、本発明の陸上養殖システムの他の実施形態の蓋を示す斜視図、下面図である。
【図９】図９ａ、ｂは、本発明の陸上養殖システムのさらに他の実施形態を示す平面図、側面図である。
【図１０】図１０ａ、ｂは、本発明の陸上養殖システムのさらに他の実施形態を示す平面図、側面図である。
【図１１】図１１ａ、ｂは、本発明の陸上養殖システムのさらに他の実施形態を示す平面図、側面図である。
【符号の説明】
【００３８】
１０  陸上養殖装置
１１、１１ａ、１１ｂ  水槽
１２  蓋
１６  蓋本体
１７  側壁部
１９  窓
２０、２０ａ  柱
２０ｂ  固定手段
２１  支柱
２２  押上パイプ
２３  蓋
２５、２５ａ、２５ｂ、２５ｃ  陸上養殖装置
２６  フランジ
２７、２７ｂ  雨桶
２７ａ  脚
２８  走行クレーン
２８ａ  クレーン
２９  レール
２９ａ  脚
３１  クレーンレール
３２  クレーンドラム
３３  ワイヤ
３４  籠または網
４０  陸上養殖システム
４１ａ、４１ｂ  仕切壁
４２  縦溝
４３  収容部
４５  大蓋
４６  隔壁
５０  陸上養殖システム
５１  養殖装置
５２  仕切壁
５３  天板
５４  水槽
５５  蓋
５６  縦溝
５７  フランジ部
６０  陸上養殖システム
６１  養殖装置
６２  水槽
６３  蓋
７０  陸上養殖システム
７１  水槽
７１ａ  横蓋
７２  天面
【図１】
0005274884.tif 000002
【図２】
0005274884.tif 000003
【図３】
0005274884.tif 000004
【図４】
0005274884.tif 000005
【図５】
0005274884.tif 000006
【図６】
0005274884.tif 000007
【図７】
0005274884.tif 000008
【図８】
0005274884.tif 000009
【図９】
0005274884.tif 000010
【図１０】
0005274884.tif 000011
【図１１】
0005274884.tif 000012